(57)【要約】【課題】持ち易く作業負担を軽減できる画像診断用カテーテルを提供する。【解決手段】画像診断用カテーテル１００は、カテーテルシャフト１１０と、その基端に設けられた分岐部１２０とを有する。カテーテルシャフトには、ガイドワイヤＷを挿通自在なガイドワイヤルーメン１１３が設けられているとともに、ガイドワイヤルーメンと隔てられて駆動シャフト１１４が進退自在に収容されている。分岐部は、カテーテルシャフトの基端で二股に分岐しており、二股の一方の分岐先１２１にはガイドワイヤルーメンと連通した挿通口１２２が形成されており、二股の他方の分岐先１２３には駆動シャフトの基端側が延びている。また、画像診断用カテーテルは、分岐部に持ち手１６０を有している。【選択図】図１
2020054410.tif 000002
【特許請求の範囲】
【請求項１】
ガイドワイヤを挿通自在なガイドワイヤルーメンが設けられているとともに、当該ガイドワイヤルーメンと隔てられて駆動シャフトが進退自在に収容されているカテーテルシャフトと、
当該カテーテルシャフトの基端で二股に分岐し、前記二股の一方の分岐先には前記ガイドワイヤルーメンと連通した挿通口が形成されており、前記二股の他方の分岐先には前記駆動シャフトの基端側が延びている分岐部と、
当該分岐部に設けられた持ち手と、を有する、画像診断用カテーテル。
【請求項２】
前記持ち手には前記ガイドワイヤを留める留め部が設けられており、前記挿通口から出ている前記ガイドワイヤの基端側が、湾曲するように折り返されて前記留め部に留められている、請求項１に記載の画像診断用カテーテル。
【発明の詳細な説明】
【技術分野】
【０００１】
本発明は、画像診断用カテーテルに関する。
【背景技術】
【０００２】
従来、ＩＶＵＳ（血管内超音波診断）やＯＣＴ／ＯＦＤＩ（光干渉断層診断）等、画像診断用カテーテルを用いて血管等の断層画像を得る手技が行われている（例えば特許文献１参照）。
【先行技術文献】
【特許文献】
【０００３】
【特許文献１】特開２０１５−１８１７８８号公報
【発明の概要】
【発明が解決しようとする課題】
【０００４】
画像診断用カテーテルは、ガイドワイヤを挿通して用いられ、血管等の生体管腔内でガイドワイヤと画像診断用カテーテルとの相対位置を調整したり、画像診断用カテーテルに対してガイドワイヤを挿入・抜去したりする際、術者は、それらを把持して相対的に動かす。このため、画像診断用カテーテルを持ち易くすれば、術者の作業負担をより軽減できる。
【０００５】
そこで、本発明は、持ち易く作業負担を軽減できる画像診断用カテーテルを提供することを目的とする。
【課題を解決するための手段】
【０００６】
上記目的を達成するための本発明の画像診断用カテーテルは、カテーテルシャフトと、その基端に設けられた分岐部とを有する。カテーテルシャフトには、ガイドワイヤを挿通自在なガイドワイヤルーメンが設けられているとともに、ガイドワイヤルーメンと隔てられて駆動シャフトが進退自在に収容されている。分岐部は、カテーテルシャフトの基端で二股に分岐しており、二股の一方の分岐先にはガイドワイヤルーメンと連通した挿通口が形成されており、二股の他方の分岐先には駆動シャフトの基端側が延びている。本発明の画像診断用カテーテルは、分岐部に持ち手を有している。
【発明の効果】
【０００７】
上記構成を有する画像診断用カテーテルによれば、持ち手が設けられており、ガイドワイヤを操作する際に持ち易いため、術者の作業負担を軽減できる。
【図面の簡単な説明】
【０００８】
【図１】第１実施形態の画像診断用カテーテルを示す図である。
【図２】第２実施形態の画像診断用カテーテルの要部を示す図である。
【図３】変形例の画像診断用カテーテルの要部を示す図である。
【図４】他の変形例の画像診断用カテーテルの要部を示す図である。
【図５】さらに他の変形例の画像診断用カテーテルの要部を示す図である。
【発明を実施するための形態】
【０００９】
以下、添付した図面を参照しながら、本発明の実施形態を説明する。なお、図面の寸法比率は、説明の都合上誇張されており、実際の比率とは異なる。
【００１０】
＜第１実施形態＞
図１に示すように、第１実施形態の画像診断用カテーテル１００は、カテーテルシャフト１１０、分岐部１２０、外管１３０、内管１４０、ハブ１５０、および持ち手１６０を有する。
【００１１】
カテーテルシャフト１１０は、可撓性を有しており、例えば血管等の生体管腔内に挿入される。カテーテルシャフト１１０は、互いに平行に並設されて一体となったシース１１１およびシース１１２を有する。シース１１１には、ガイドワイヤＷを挿通自在なガイドワイヤルーメン１１３が設けられており、シース１１２には、ガイドワイヤルーメン１１３と隔てられて駆動シャフト１１４が進退自在に収容されている。
【００１２】
シース１１１およびシース１１２の形成材料としては、特に限定されないが、例えば、スチレン系、ポリオレフィン系、ポリウレタン系、ポリエステル系、ポリアミド系、ポリイミド系、ポリブタジエン系、トランスポリイソプレン系、フッ素ゴム系、塩素化ポリエチレン系等の各種熱可塑性エラストマー等が挙げられ、これらのうちの１種または２種以上を組合せたもの（ポリマーアロイ、ポリマーブレンド、積層体等）であってもよい。
【００１３】
ガイドワイヤＷは、可撓性およびＸ線造影性を有しており、例えば、ステンレス鋼、バネ鋼、チタン、タングステン、タンタル、ニッケル・チタン合金等の超弾性合金によって形成されている。
【００１４】
駆動シャフト１１４は、駆動シャフト１１４の先端に設けられて生体管腔との間で信号を送受信する信号送受信部１１５を軸方向に沿って移動させたり、軸方向のまわりに回転させたりする駆動力を基端側から伝達する役割を果たし、柔軟であるとともに適度な剛性を有する。また、駆動シャフト１１４は、信号送受信部１１５に信号を伝えたり、信号送受信部１１５から基端側に信号を伝えたりする役割も果たす。
【００１５】
駆動シャフト１１４および信号送受信部１１５の構成は、画像診断用カテーテル１００の形態に応じて適宜設計できる。例えば、画像診断用カテーテル１００がＩＶＵＳ（血管内超音波診断）用のカテーテルの場合、駆動シャフト１１４は電気信号を伝え、信号送受信部１１５は信号として超音波を送受信する。また、これと異なり、画像診断用カテーテル１００がＯＣＴ／ＯＦＤＩ（光干渉断層診断）用のカテーテルの場合、駆動シャフト１１４は光を伝え、信号送受信部１１５は信号として光を送受信する。また、画像診断用カテーテル１００は、信号として超音波および光の両方を利用するものであってもよい。
【００１６】
分岐部１２０は、カテーテルシャフト１１０の基端に設けられており、二股に分岐している。二股の一方の分岐先１２１には、ガイドワイヤルーメン１１３と連通した挿通口１２２が形成されており、他方の分岐先１２３には駆動シャフト１１４の基端側が延びている。
【００１７】
挿通口１２２を通じて、術者はガイドワイヤＷをガイドワイヤルーメン１１３に挿入したり、ガイドワイヤルーメン１１３からガイドワイヤＷを抜去したりする。ガイドワイヤＷを挿通自在であれば、分岐先１２１に例えばＹコネクタ等の他の器具が着脱可能であってもよい。
【００１８】
分岐先１２３からは、駆動シャフト１１４がさらに延びており、外管１３０および内管１４０を通ってハブ１５０に接続している。外管１３０の先端側は、分岐先１２３に固定されている。外管１３０の基端側には、内管１４０が出し入れ可能に挿入されており、内管１４０の基端にハブ１５０が固定されている。ハブ１５０は、モータードライブユニット（ＭＤＵ）と接続する。
【００１９】
ハブ１５０をモータードライブユニット（ＭＤＵ）が進退動させ、これにともなって駆動シャフト１１４が軸方向に進退動する。また、モータードライブユニット（ＭＤＵ）は、駆動シャフト１１４を軸方向のまわりに回転させる。信号送受信部１１５は、駆動シャフト１１４と同様に進退動し、また回転する。
【００２０】
生体管腔の断層画像を得る際、信号送受信部１１５は生体管腔との間で信号を送受信しつつ、駆動シャフト１１４とともに回転しながら軸方向基端側へと移動していく。
【００２１】
持ち手１６０は、分岐部１２０から突出して設けられている。本実施形態において、持ち手１６０は、互いに反対方向に突出するように２箇所に設けられているが、それらのうちの一方だけに設けられていてもよいし、それら２箇所に加えてさらに他の箇所にも設けられていてもよい。また、本実施形態において持ち手１６０は翼のような形状を有しているが、その形状に限定されない。
【００２２】
次に本実施形態の作用効果を述べる。
【００２３】
画像診断用カテーテル１００は、ガイドワイヤＷを挿通して用いられ、生体管腔内に先行させたガイドワイヤＷに沿って、カテーテルシャフト１１０が生体管腔内の目的の位置へと進められる。
【００２４】
術者は、体外で画像診断用カテーテル１００とガイドワイヤＷとを把持して相対的に動かすことによって、生体管腔内におけるカテーテルシャフト１１０とガイドワイヤＷとの相対位置を調整したり、例えばガイドワイヤ交換のために画像診断用カテーテル１００に対してガイドワイヤＷを挿入・抜去したりする。
【００２５】
本実施形態では持ち手１６０が備えられているため、そのような操作の際、術者は持ち手１６０に手を添えることによって画像診断用カテーテル１００を楽に持つことができる。従って、術者の作業負担を軽減できる。
【００２６】
特に、持ち手１６０は分岐部１２０に設けられており、挿通口１２２に近いため、持ち手１６０に手を添えることで挿通口１２２をブレないように安定させ易く、ガイドワイヤＷの操作が楽である。
【００２７】
＜第２実施形態＞
図２に示すように、第２実施形態の画像診断用カテーテル２００では、第１実施形態と異なる持ち手２６０が備えられており、そこにガイドワイヤＷが留められる。他の構成については、第２実施形態は第１実施形態と同様であり、それらで共通する構成に対しては同じ符号を付し、ここでの重複する説明は省略する。
【００２８】
持ち手２６０は、基部２６１、およびフック２６２（留め部）を有している。基部２６１は、平らなプレート状の構成片であり、分岐部１２０から突出して設けられている。フック２６２は、基部２６１の面から略垂直に突き出すとともに、分岐部１２０側に略直角に曲がっている。
【００２９】
ガイドワイヤＷは、挿通口１２２から出ている基端側が湾曲するように折り返されており、湾曲した状態から元に戻ろうとする弾性を利用してフック２６２の内側に引っ掛けて留められている。
【００３０】
本実施形態と異なり、ガイドワイヤＷが留められておらず単に挿通口１２２から出ているだけであると、術者が画像診断用カテーテル２００を操作して手技を行っている際、挿通口１２２から出ているガイドワイヤＷが暴れ、例えば消毒等のされていない不潔物に接触することが起こりうる。
【００３１】
これに対し、本実施形態では、ガイドワイヤＷがフック２６２に留められているため、手技中にガイドワイヤＷが暴れて不潔物と接触することが防止され、ガイドワイヤＷが清潔な状態で維持され易い。
【００３２】
また、本実施形態では、ガイドワイヤＷは、単に留められているというわけではなく、基端側が先端側へと折り返されて留められている。
【００３３】
このため、分岐先１２１よりも基端側から手技を行う術者に対し、挿通口１２２から出ているガイドワイヤＷが邪魔にならず、手技を円滑に進めることができる。
【００３４】
フック２６２（留め部）によって奏されるそれら特有の作用効果は、第１実施形態とは異なるが、それら以外の他の作用効果については、持ち手２６０は、第１実施形態の持ち手１６０と略同様である。
【００３５】
本発明は、上述した実施形態に限定されるものではなく、特許請求の範囲内で種々改変できる。
【００３６】
例えば、持ち手の形状は、上記実施形態に限定されず、例えば図３に示す持ち手１６０Ａのように、穴の開いた形状であってもよいし、図４に示す持ち手１６０Ｂのように、円弧状の形状であってもよい。持ち手１６０Ａのように穴が形成されていれば、そこに糸等を通して画像診断用カテーテルと他のデバイスとを固定することが可能になり、それらを同時に動かすことができる。
【００３７】
また、持ち手は、分岐部から突出するように設けられるが、突出する方向も上記実施形態に限定されない。例えば図５に示す持ち手１６０Ｃのように、第１実施形態の持ち手１６０が突出している方向と略垂直な方向に突出していてもよい。図３〜５に示す変形例において、持ち手以外の他の構成は、第１実施形態と同様であり、第１形態と同様の符号を付している。
【００３８】
また、ガイドワイヤを留める留め部も、第２実施形態のようにフック２６２に限定されない。例えば、第２実施形態の基部２６１に、カテーテルシャフト１１０の軸方向と略平行なスリット状の溝を留め部として設け、その溝に、ガイドワイヤＷの折り返された基端側を嵌め込んで留めるようにしてもよい。
【符号の説明】
【００３９】
１００、２００    画像診断用カテーテル、
１１０    カテーテルシャフト、
１１１    ガイドワイヤ用のシース、
１１２    駆動シャフト用のシース、
１１３    ガイドワイヤルーメン、
１１４    駆動シャフト、
１１５    信号送受信部、
１２０    分岐部、
１２１    一方の分岐先、
１２２    ガイドワイヤの挿通口、
１２３    他方の分岐先、
１３０    外管、
１４０    内管、
１５０    ハブ、
１６０、１６０Ａ、１６０Ｂ、１６０Ｃ、２６０    持ち手、
２６１    基部、
２６２    フック（留め部）、
Ｗ    ガイドワイヤ。
【図１】
2020054410.tif 000003
【図２】
2020054410.tif 000004
【図３】
2020054410.tif 000005
【図４】
2020054410.tif 000006
【図５】
2020054410.tif 000007